(57)【要約】      （修正有）【課題】チャイルドサポート用肩掛けハーネスに関する改良及びその改良された留め具及び取り外し可能なチャイルドサポートに関する。【解決手段】子供のハーネスへの固定を補助するものにベビーキャリー構成１０は昔から使われており子供との密接な接触を保ちながら、母親が用事を片付けられるように構成されている。最近では、バギーや押し車、乳母車、乳幼児用カーシート等の普及により、そのような構成は実用的ではなくなった。今日では、バックル及びストラップ構成２２とともに子供を固定するために使用されるハーネスを１枚のパッド入りの素材に固定するハーネス構成１１を有するチャイルドサポートが多数ある。しかしながら、部品を保持するために使用される留め具は、殆どの場合において一番弱い箇所であり、その開発には大きな悩みがあった。改良された留め具と、そこから生じる改良されたチャイルドサポート構成を提供しようとするものである。【選択図】図３
2008149126.tif 000002
【特許請求の範囲】
【請求項１】
ベビーキャリー及びベビーサポートの第１及び第２の部分を連結する留め具であって、
それぞれベビーキャリー及びベビーサポートと関連する第１（１７）及び第２（１２）の部品を備え、
前記第１の部品（１７）は、
合わせ面（２７）と、
そこから外側に延び、先端部（２９’）で増大した直径部分とともに近接端で第１の直径の軸（３０）を有する延在部（２９）と、
当接部（２８）と、を有し、
前記第２の部品（１２）は、
作用時に前記第１の部品（１７）の前記合わせ面（２７）と向き合う合わせ面（２４）と、
さねはぎ溝（２５）とを有し、
前記溝（２５）は、
開口部と、
前記延在部（２９）の前記先端部（２９’）が挿入可能で、かつ、前記延在部（２９）の前記先端部（２９’）が前記溝（２５）に沿って、第１の直線部（２５’）に沿う前記開口部から第２の略フック状部（２５’’）を介して係合部（２５’’’）まで滑ることが可能な、十分な大きさのさねはぎと、を含み、
前記溝（２５）における前記係合部（２５’’’）までの前記先端部（２９’）の動作は、係合時にそれぞれの当接部（２８）が少なくとも前記溝（２５）の前記開口部の一部に当接するまで、荷重の方向に対して略横方向であり、これによって荷重方向での前記先端部（２９’）の動作は制限される、ことを特徴とする留め具。
【請求項２】
前記開口部（２６）は、９０°≦α＜１８０°である角度αを囲む少なくとも２つのフランク（２８’）によって縁取られていることを特徴とする請求項１に記載の留め具。
【請求項３】
前記溝（２５）は、
前記第１の直線部（２５’）に対して平行に向けられた直線状の前記係合部（２５’’’）に、延長部（２３）を備えることを特徴とする請求項１または請求項２に記載の留め具。
【請求項４】
前記溝（２５）の係合部（２５’’’）は直線状であることを特徴とする請求項１から請求項３のうち一項に記載の留め具。
【請求項５】
前記当接部（２８）は、
９０°≦β＜１８０°である角度βを囲む少なくとも２つのフランク（２８’’）を有する軸を備えることを特徴とする請求項１から請求項４のうち一項に記載の留め具。
【請求項６】
前記開口部（２６）は、９０°≦α＜１８０°である角度αを囲む少なくとも２つのフランク（２８’）によって縁取られており、
α＝βであることを特徴とする請求項５に記載の留め具。
【請求項７】
前記当接部（２８）は、
当該留め具の使用時に荷重が作用している線上に沿って当該当接部（２８）とともに配置される前記延在部（２９）へ少なくとも向かうオーバーハング部を備えることを特徴とする請求項１から請求項６のうち一項に記載の留め具。
【請求項８】
フック状の前記溝（２５）は、立設したホッケースティック状に形成されることを特徴とする請求項１から請求項７のうち一項に記載の留め具。
【請求項９】
フック状の前記溝（２５）は、逆「クエスチョンマーク」状に形成されることを特徴とする請求項１に記載の留め具。
【請求項１０】
当該留め具の部品は、プラスチック材料から製造されることを特徴とする請求項１から請求項９のうち一項に記載の留め具。
【請求項１１】
大人が使用するベビーキャリーであって、
分離可能な連結器具と、ポーチと、ハーネスとを備え、
前記分離可能な連結器具は、請求項１から請求項１０のうち一項に記載の留め具を有し、
前記ポーチは、
上端部を有する前側部分と、
上端部を有する後側部分と、
前記前側部分と前記後側部分との間に、幅が小さくされた座席部と、を有し、
使用時に、当該ポーチにおける幅が小さくされた前記座席部の両側に赤ちゃんの足が垂れた状態で、赤ちゃんの尻が当該ポーチの前記座席部に対して位置可能であり、
このポーチは、前記連結器具の第１の要素を有する第１の接続手段と、他の接続手段とを有し、
前記ハーネスは、
大人によって操作可能に着用される構成を有することにより、この大人から前記連結器具の第２の要素が外へ延びるようになっており、
このハーネスは、
他の接続手段のための停止要素をさらに備え、
使用時に、赤ちゃんが前記ポーチの中に入れられ、前記連結器具の前記第１の要素が当該連結器具の前記第２の要素に挿入され、前記他の接続手段が留められ、これによって当該ハーネスに対して前記ポーチの中に赤ちゃんを固定保持することが可能であることを特徴とするベビーキャリー。
【請求項１２】
前記ハーネスは、前記連結器具の前記第２の要素が大人から外へ延びるように、陣羽織状の要素を有することを特徴とする請求項１１に記載のベビーキャリー。
【請求項１３】
前記ハーネスは、ベルト部を有し、このベルト部からは、着用者の肩にかけられて当該ベルトの第２の留め位置に接続されるように構成される２本のストラップが上方に延びることを特徴とする請求項１１に記載のベビーキャリー。
【請求項１４】
前記他の接続手段は、操作時に、前記第１接続手段に対して前記ポーチの先端部から前記ハーネスへ延びる１本のストラップを有することを特徴とする請求項１１から請求項１３のうち一項に記載のベビーキャリー。
【請求項１５】
前記他の接続手段は、操作時に、前記第１接続手段に対して前記ポーチのそれぞれの先端部から前記ハーネスへ延びる２本のストラップを有することを特徴とする請求項１１から請求項１３のうち一項に記載のベビーキャリー。
【請求項１６】
椅子、乳母車、押し車または同様の製品に取り付けられるベビーキャリーであって、
分離可能な連結器具と、ポーチとを備え、
前記分離可能な連結器具は請求項１から請求項１０のうち一項に記載の留め具を有し、
前記ポーチは、
上端部を有する前側部分と、
上端部を有する後側部分と、
前記前側部分と前記後側部分との間に、幅が小さくされた座席部と、を有し、
使用時に、当該ポーチにおける幅が小さくされた前記座席部の両側に赤ちゃんの足が垂れた状態で、赤ちゃんの尻が当該ポーチの前記座席部に対して位置可能であり、
このポーチは前記連結器具の第１の要素を有する第１の接続手段と、他の接続手段とを有し、
前記椅子、乳母車、押し車または同様の製品は、
前記連結器具の第２の要素が当該椅子、乳母車、押し車または同様の製品から外へ延びるように、当該椅子、乳母車、押し車または同様の製品に操作可能に固定的に取り付けられる構成を有し、
この椅子、乳母車、押し車または同様の製品は、前記他の接続手段のための停止要素をさらに備え、
使用時に、赤ちゃんが前記ポーチの中に入れられ、前記連結器具の前記第１の要素が当該連結器具の前記第２の要素に挿入され、前記他の接続手段が留められ、これによって当該椅子、乳母車、押し車または同様の製品に対して前記ポーチの中に赤ちゃんを固定保持することが可能であることを特徴とするベビーキャリー。
【請求項１７】
前記椅子、乳母車、押し車または同様の製品に操作可能に固定的に取り付けられる前記構成は、ストラップ、接着テープ、ひも、ねじ留め手段、リベット及び他の留め手段のうち１つ以上によって別々に前記椅子、乳母車、押し車または同様の製品に留められるそれぞれの要素を有することを特徴とする請求項１６に記載のベビーキャリー。
【請求項１８】
前記椅子、乳母車、押し車または同様の製品に操作可能に固定的に取り付けられる前記構成は、ストラップ、接着テープ、ひも、ねじ留め手段、リベット及び他の留め手段のうち１つ以上によって前記椅子、乳母車、押し車または同様の製品に留められる１つの要素を有することを特徴とする請求項１６に記載のベビーキャリー。
【請求項１９】
前記他の接続手段は、操作時に、前記第１接続手段に対して、前記ポーチの先端部から前記椅子、乳母車、押し車または同様の製品へ延びる１本のストラップを有することを特徴とする請求項１６から請求項１８のうち一項に記載のベビーキャリー。
【請求項２０】
前記他の接続手段は、操作時に、前記第１接続手段に対して、前記ポーチのそれぞれの先端部から前記椅子、乳母車、押し車または同様の製品へ延びる２本のストラップを有することを特徴とする請求項１６から請求項１８のうち一項に記載のベビーキャリー。
【発明の詳細な説明】
【技術分野】
【０００１】
本発明は、留め具におけるまたは留め具に関する改良に関する。特に、本発明は、ハーネスや椅子、乳母車等に対してチャイルドサポートを確保するために操作可能な留め具に関する。また、特に、ポーチの中の子供の固定又はハーネスや椅子等に対するサポートを補助するために使用することができる改良された留め具に関する。
【背景技術】
【０００２】
ベビーキャリーは昔から使われている。シーツや種々の産着は、子供との密接な接触を保ちながら、母親が用事を片付けられるように構成されている。通常、多くの子供は生後（頭を注意深く支えなければならない時期）から2年以上は支えが必要であり、子供は両親や他人と並んで歩きたがるが、すぐに疲れてしまうため3歳〜4歳児を抱くための準備が考慮されることが必要な場合もある。
【０００３】
最近では、バギーや押し車、乳母車、乳幼児用カーシート等の普及により、そのような構成によって子供を支えることは実用的ではなくなった。親または世話人がチャイルドサポート器具と一体になれるような様々な種類のチャイルドサポート器具がある。子供の足や腕のための開口部を有する１枚のパッド入りの素材に依存するタイプのものもいくつかあり、子供は大人に密着して身を寄せることができるし、または前方を向くこともできる。EP１０５５３８２は、図１a及び図１bに示されるような、単純な素材ベースのキャリーであって、そこに接続されるストラップを用いてリュックサック型ベビーキャリーを提供することを開示している。他にもいくつかの金属フレームを用いたリュックサック型ベビーキャリーがあり、子供をおぶう大人の肩越しに子供が景色を見渡せるように支える。今日では、バックルやクリップ、ストラップとともに子供を固定するために使用されるハーネスを１枚のパッド入りの素材に固定するハーネス構造を有するチャイルドサポートが多数ある。
【０００４】
WO-９２／１２６５６は、子供を抱く人の背後で互いに連結され、子供を抱く人の前側で、子供を抱く人の前側にポーチを形成する１枚の素材またはキャリーの上方及び下方それぞれの接続ポイントにおいて取り外し可能に連結される２本のストラップループを含むベビーキャリーを開示している。キャリー片には、ポーチが２通りの異なる所定の深さに調節されることができるように、縦方向に離れた２つの接続ポイントがそのキャリー片の下方に設けられている。
【０００５】
図２a及び図２bは、単純だが多数のファスナーを有する構造を示している。ここに教示されるファスナーは、互いに締まるように、アンカーストラップを介してそれぞれの箇所に連結されるダッフルファスナーとリングを備える。アンカーストラップは、２つの互いに連携する押しボタン型連結部材をさらに有する。このようなファスナー手段は、個々の部材のコスト及び部材をベビーキャリーに固定するためのコストがある程度かかるため高額になる。また、ポーチは２通りの異なる深さにしか調節することができない。さらに、ファスナー器具（リング及びダッフルファスナー）には子供を抱く人の胸に対して押しつけられたり、締め付けられる傾向があり、不快感を生じさせる。
【０００６】
大人に装着されるハーネスにはいくつかの基本的な形態があり、単純な形態で、便宜的に調節可能であり、後ろの部分において連結され、使用時には装着者の背中の上方に近接する２つのループを有し、その２つのループは、体の下部付近の下方の点によって腕の付け根において装着され、両側でハーネスへと延び、ハーネスに連結されるストラップによって赤ちゃん用のポーチに接続される。赤ちゃんを抱く部分は、ハーネスのそれぞれのループを、赤ちゃんを抱く部分に同時に連結するスナップバックル等によってハーネスに接続される。赤ちゃんを抱く部分の下方部分には、少なくとも１つの上方の自由側端部を含む前側壁が設けられ、この自由側端部に向けてストラップが延びる。上方端部の両側は、前面壁をハーネスから支え、また前面壁の自由側端部と接続器具の下のハーネスとの間に、赤ちゃんの足を受け、位置決めするための開口部を規定する役割をする接続器具の中央を通じて、それぞれハーネスから解除し、ハーネスに固定することができる。接続器具は、その前面壁に下方を向いた指状部を持つ雄部と、ハーネスに設けられていて近くに位置する指状部受け用雌部を含むフックファスナを有する。
【発明の開示】
【発明が解決しようとする課題】
【０００７】
上記のハーネスの１つの問題は、赤ちゃんの足を受け入れる開口部が前面壁の側端部と、ハーネスストラップの近接部とによって、ハーネスへの前面壁のフックファスナと底接続部との間における接続点からの距離に沿って規定されることである。フックファスナの雄部と前側片との接続は、赤ちゃんがハーネスによって抱かれる部分である前側壁の上方の赤ちゃんのサポートレベルを規定する。
【０００８】
しかしながら、この前側片が十分に高い位置にあるとき、小さな赤ちゃんの両足が一方の足開口部に入ってしまう程に大きくなり、赤ちゃんがそこから落ちてしまう恐れがある。また、単純なクリップやダッフルコネクタの使用は、特に子供がいる場合、その操作は容易ではない。
【０００９】
このような欠点を解決するために、ＥＰ０７５２２２０は、簡単に実施可能な一つの連結操作によって素早く固定的に設定可能なフックファスナを容易に使用できるという利点を維持しながら、各ストラップループのインサートロックとポーチの下方のベルト状端部の自由長を調節するためのバーロックとを含む留め具によって、ポーチの下方端部に解除可能に接続されるストラップループを用いて足開口部の大きさが小さくされる、さらなるベビーサポートを教示する。
【００１０】
しかしながら、このようなハーネスは、連結するのに時間がかかる接続が多すぎるため扱いにくい。ごそごそと動いているか、或いは、寝ていて起こしたくないかのどちらかの状態の赤ちゃんがいる場合、これは重要な問題である。
【００１１】
本発明は、単純な連結器具を提供し、また、それと連携して上記先行技術の問題を解決しようとする。
【課題を解決するための手段】
【００１２】
本発明の第１の側面によると、ベビーキャリー及びベビーサポートの第１及び第２の部分を連結する留め具であって、それぞれベビーキャリー及びベビーサポートと関連する第１及び第２の部品を備え、前記第１の部品は合わせ面と、そこから外側に延び、先端部で増大した直径部分とともに近接端で第１の直径の軸を有するピン状の延在部と、当接部とを有し、前記第２の部品は作用時に前記第１の部品の前記合わせ面と向き合う合わせ面と、溝とを有し、前記溝は、開口部と、前記延在部の前記先端部が挿入可能で、かつ、前記ピンの前記先端部が前記溝に沿って、第１の直線部に沿う前記開口部から第２の略フック状部を介して係合部まで滑ることが可能な、十分な大きさのさねはぎとを含み、前記溝における前記係合部までの前記先端部の動作は、係合時にそれぞれの当接部が少なくとも前記溝の前記開口部の一部に当接するまで、荷重の方向に対して略横方向であり、これによって荷重方向での前記先端部の動作は制限される、留め具が提供される。両連結部の信頼性のある接続を得るために、当接部は溝の開口部の端部と勢いよく係合する、角度のある軸を備え、これにより両連結部の間では、上記合わせ面に対する垂直軸の周りのいかなる動作も抑制される。また、溝はさらに、係合位置に、開口部に近接した位置において第１の直線部と垂直になるように位置合わせをした直線部を備える。この係合部には、延在部が非常に安定して位置しており、また延在部の軸は溝の壁に偏って当接する。
【００１３】
好適な実施形態では、係合位置において、溝は、上記の場合と同様に垂直になるように直線部に向かい、第１の直線部に向かって続く小さな延長部を備える。抑制されない縦方向の動作が生じた場合、延在部はこの溝部分の縦方向の延長部に入り、延在部はその部分に沿って直ちに固定され動作は停止する。これによって、両連結部の抑制されない解除を防ぐための更なる防御が備えられる。
【００１４】
従って、使用時に、第１の部品の先端は開口部に挿入され、その先端が係合部に近接するまで溝に沿って滑る。ベビーキャリー及びハーネスと併せて使用する時、それぞれの動作のうち上下の動作は解除のための動作と対応しないので、部品を外してしまう可能性は低い。このことから分かるように、引力は、他の部分に対して第１の留め具要素の安全な保持を補助している。さらに、通常、ベビーポーチまたはキャリーの荷重はハーネスに対して下方へ作用するので、第１の部品と第２の部品は、部品が方向的に逆であることを前提として、キャリーとハーネスに対して入れ替え可能であることも分かる。
【００１５】
先端が係合位置にあるとき、荷重方向に対して垂直の方向へ溝に沿って初めの移動をさせた後、先端部を溝の他方の端部へ向けて当該溝に沿って動かすことによって離脱させることができる。
【００１６】
留め具は、好ましくは、大まかに、立設したホッケースティック状にまたは逆「クエスチョンマーク」状に形成される溝を有する。好ましくは、留め具の部品は、ポリプロピレン等のプラスチック材料によって製造されることができる。
【００１７】
本発明の他の側面によると、ベビーキャリー構成と連結要素が備えられ、このベビーキャリーは椅子及び乳母車等に対して固定的に留めることができ、ベビーキャリーは子供の大きさによって足のための開口部と任意的に腕のための開口部とを備えて赤ちゃんを囲むようになっている。つまり、親や世話人によって抱かれる赤ちゃんは、単純にハーネスから取り外されてベビーバギー、乳母車または幼児用椅子等に移動される。これらのベビーバギー、乳母車または幼児用椅子等の受け入れ器具は、子供が安全に受け入れられ保持されるよう、対応する連結部を有し、任意的にコネクタストラップをさらに用いる。
【００１８】
本発明の第２の側面によると、大人が使用するベビーキャリーであって、分離可能な連結器具と、ポーチと、ハーネスとを備え、前記分離可能な連結器具は本発明の第１の側面による留め具を有し、前記ポーチは、上端部を有する前側部分と、上端部を有する後側部分と、前記前側部分と前記後側部分との間に幅が小さくされた座席部とを有し、使用時に、ポーチにおける幅が小さくされた座席部の両側に赤ちゃんの足が垂れた状態で、赤ちゃんの尻がポーチの座席部に対して位置可能であり、このポーチは前記連結器具の第１の要素を有する第１の接続手段と、他の接続手段とを有し、前記ハーネスは、大人によって操作可能に着用される構成を有することにより、この大人から連結器具の第２の要素が外へ延びるようになっており、このハーネスは他の接続手段のための停止要素をさらに備え、使用時に、赤ちゃんが前記ポーチの中に入れられ、前記連結器具の前記第１の要素が当該連結器具の前記第２の要素に挿入され、前記他の接続手段が留められ、これによって当該ハーネスに対して前記ポーチの中に赤ちゃんを固定保持することが可能である、ベビーキャリーが提供される。好ましくは、ポーチのさらなる要素は、そこに抱かれた赤ちゃんの横方向への動作を制限する。このような、さらなる要素は、調節可能なストラップを備えることができ、例えば、それらはフックやループファスナによって留めることができてもよい。
【００１９】
ハーネスは、連結器具の第２の要素が大人から外へ延びるように、陣羽織状の要素を備えることができ、或いはハーネスは好ましくはベルト部を有し、このベルト部からは、着用者の肩にかけられてベルトの第２の留め位置に接続されるように構成される２本のストラップが上方に延びるようにすることができる。他の接続手段は、操作時に、第１接続手段に対してポーチの先端部からハーネスへ延びる１本のストラップを有することができ、或いは、他の接続手段は、操作時に、第１接続手段に対してポーチのそれぞれの先端部からハーネスへ延びる２本のストラップを有することができる。
【００２０】
本発明のさらなる側面によると、椅子、乳母車、押し車または同様の製品に取り付けられるベビーキャリーであって、分離可能な連結器具と、ポーチとを備え、前記分離可能な連結器具は本発明の第１の側面による留め具を有し、前記ポーチは、上端部を有する前側部分と、上端部を有する後側部分と、前記前側部分と前記後側部分との間に幅が小さくされた座席部とを有し、使用時に、当該ポーチにおける幅が小さくされた前記座席部の両側に赤ちゃんの足が垂れた状態で、赤ちゃんの尻が当該ポーチの前記座席部に対して位置可能であり、このポーチは前記連結器具の第１の要素を有する第１の接続手段と、他の接続手段とを有し、前記椅子、乳母車、押し車または同様の製品は、前記連結器具の第２の要素が当該椅子、乳母車、押し車または同様の製品から外へ延びるように、当該椅子、乳母車、押し車または同様の製品に操作可能に固定的に取り付けられる構成を有し、この椅子、乳母車、押し車または同様の製品は前記他の接続手段のための停止要素をさらに備え、使用時に、赤ちゃんが前記ポーチの中に入れられ、前記連結器具の前記第１の要素が当該連結器具の前記第２の要素に挿入され、前記他の接続手段が留められ、これによって当該椅子、乳母車、押し車または同様の製品に対してポーチの中に赤ちゃんを固定保持することが可能である、ベビーキャリーが提供される。追加的なストラップは、ハーネス構成に関して説明したように備えることも可能である。
【００２１】
椅子、乳母車、押し車または同様の製品に操作可能に固定的に取り付けられる構成は、ストラップ、接着テープ、ひも、ねじ留め手段、リベット及び他の留め手段のうち１つ以上によって別々に椅子、乳母車、押し車または同様の製品に留められる１つまたはそれぞれの要素を有する。
【００２２】
ハーネスは、好ましくはベルト部を有し、このベルト部からは、着用者の肩にかけられてベルトの第２の留め位置に接続されるように構成される２本のストラップが上方に延びる。
【発明を実施するための最良の形態】
【００２３】
本発明をより良く理解するために、例示することだけを目的として、添付される図面に示される図を参照する。
【００２４】
本発明を実施するために発明者によって検討された最良の形態を、例示することだけを目的として説明する。以下の説明には、本発明を完全に理解するためのさまざまな具体的な詳細が示されている。本発明が多様な仕様において実用化されうることは、当業者にとって明らかである。
【００２５】
図３を参照すると、ベビーキャリー構成１０が示される本発明の第１の実施形態が示されている。ベビーキャリーは、ハーネス構成１１と、ベビーサポート１６とを備える。ベビーサポート１６は、留め具またはコネクタ要素１２、１７によってハーネス１１に接続可能である。これら留め具またはコネクタ要素１２、１７は、例えば、子供を抱いている人が凸凹のある地面を歩いている時であって１つの留め具では不適当とされうる場合、このような留め具は利便性のためには大きすぎるので、追加的なサポートを備えるために、好ましくは可撓性ストラップ１８によってベビーサポート１６に取り付けられる２つのさらなるコネクタ１３と連携する。
【００２６】
ベビーサポート１６は、好ましくはプラスチック／綿素材などの可撓性材料によって製造され、前側部分２０を有する。この前側部分２０は、好ましくは子供の腹部に当接することができ、子供の前方向への動作を抑制する。この前側部分２０は、座席部２１を介して当該サポートの後側部分１９に接続する。この図では、コネクタまたは留め具要素１７は後側部分の素材の中に保持されている。いくつかのモデルでは、前の留め具及び後ろの留め具を有しており、これによって子供がその子供を抱いている親または世話人と向き合えるようにできるようになっている。バックル及びストラップ構成２２によって、チャイルドサポートの大きさは子供の大きさの違いに適応するように変更可能である。使用時に、留め具要素１７の外側へ延びる部材は、チャイルドサポートのハーネスと関連し、対応する留め具要素の略弓状の溝に挿入され、当該外側へ延びる要素が下方へ通過するにつれて、フック状の当接手段は溝を囲う留め具要素の上端部分に係合し、この延在要素が停止位置に達するにつれて、延在要素の移動は横方向のものになり、これによって、留め具要素が互いに固定的に留められるよう、２つの留め具要素１２、１７の縦方向の移動が制限される。これを解除するには、延在部が溝から上方へ抜けるように２つの留め具要素を互いにねじり、それによって当接フック部材は溝形成部材の上端部から持ち上げられ、分離される。
【００２７】
図４a及び図４bを参照すると、留め具要素１７は、接続時に他の留め具の端部に当接するように操作可能な内側面３１を有するフック状の当接部２８を備える。また、当接部２８は、以下に記載される開口部２６のフランク２８’’に勢いよく当接する、角度のあるフランク２８’を備える。さらに、延在部２９は、軸３０と、直径が軸３０より大きい先端部２９’とを有する。フック状の当接部２８と延在部２９の両方は、留め具の使用時に荷重が作用する線上に沿って配置される。
【００２８】
図５aには、留め具要素１２の特徴を詳述する。平面状部材２４は、弓状のさねはぎ溝２５を備える。溝２５は開口部２６から延在し、この開口部２６は９０°より大きく、１８０°より小さい角度を取り囲む２つのフランク２８’’によって縁取られる。溝２５はさらに直線部２５’を備え、その後に続く第２の略フック状部分２５’’は、同様に直線的な係合部２５’’’まで延びる。そして、係合位置２５’’’の溝はさらに、直線状の係合位置２５’’’に直角的に向かうとともに第１の直線部２５’に向かって続く小さな延長溝２３を備える。抑制されず縦方向に移動する場合、延在部はこの溝部分の縦方向の延長部２３に入り、その部分に沿って直ちに固定され停止する。
【００２９】
２つの留め具要素１２、１７が連携関係とされる時、延在部２９のより広い先端部２９’は、溝のさねはぎ部分２５に挿入される。さねはぎは、薄い平面要素である面部分２４によって生じてもよい。図５aは、溝がホッケースティックの外形に似ている代替の溝２５aを示す。
【００３０】
図６は、留め具１７がどのように留め具要素１２の中に保持されるかを示す。両方の留め具要素は、縦断面図において係合した位置にある状態で示されている。頂部側で、当接部２８は、開口部２６内に位置し、開口部（図示しない）のフランクに当接し、その板状の近接部分において面部分２４の後方側にさらに重なる。これによって、留め具要素１７が留め具１７から離れて傾くことができないことが保証される。また、縦方向に突然、移動する場合、延在部２９の軸はわずかに移動して溝２５の直線状の延長部２３の中に入り、係合をゆるませることなく安全に固定され、停止する。これは、ファスナの固定性に貢献していると評価されるだろう。
【００３１】
図７は留め具１２の裏側を示す。面２４の内側面は面３２とされ、留め具要素１７の延在部２９の先端部２９’が突出しているのが見られ、符号Ｄによって規定される軸の方向への動作が生じることは殆ど無い。オーバーハング部を備える当接部２８は内側面３２に近接する位置に示され、この内側面３２は、前記構成が単純ながら安全な２つの部分からなる留め具を備えることを補助する。また、当接部２８の軸３０は上記のように角度のあるフランク２８’を備え、このフランク２８’は、平面部材２４の窪んだ開口部の端部２６と、傾きに関して一致する。これによって、留め具要素１７が固定されるベビーサポート１６は、使用時に横軸の周りにゆれないことが保証される。
【００３２】
留め具の部品は多種の構成材から製造することができる。しかしながら、ポリプロピレンプラスチック材料は、留め具同士の滑り具合が低いという要件を満たすよう部品同士が十分に摩擦係合し、成形容易であるという特徴を提供する。この目的の達成を補助するために、異なる留め具部品の材料は、異なってもよい。
【００３３】
多くの親が報告するように、例えば、子供をチャイルドサポートの中に入れたい場合、あるいは子供が寝ていてその子供を起こしたくない場合など、ゴソゴソと動く子供を移動させることは時には困難である。チャイルドサポートは、必ずしもハーネスに接続されなくても勝手に子供を支えることができ、本発明のさらなる側面は上記の場合にも役立つ。そのようなチャイルドサポートは、図８に示されており、この図では、後側部分１９が、ハーネス１１の対応する要素１３と連携する固定具４０を備えるように上方に延びる（図３参照）。ストラップ４１は、チャイルドサポートの前側部分のバックルに接続する。このように、赤ちゃんはハーネスを必要とせずに、勝手にチャイルドサポートによって囲まれる。このような構成は、チャイルドサポートは椅子に接続されることもできるなど、他にも多数の有意な利点を持つ。同様に、その設計は、押し車や乳母車等の座席にまで及ぶことも可能である。
【００３４】
さらに、以下のような代替案も可能である。例えば、ベビーサポートに２つの留め具がそれぞれ前と後ろに備えられることによって、子供はその子供を抱く人と向き合うこともできるし、逆の方向を向くこともできる。同様に、ハーネスは前と後ろの留め具を有することができる。或いは、ハーネスは、第１に前向き方向に着用可能であり、第２に後ろ向き方向に着用可能であるようにしても良い。先端部は、その全体または部分的に弾力性のある素材で形成されている場合、係合位置における先端部の弾力性の保持を補助することができる。
【図面の簡単な説明】
【００３５】
【図１ａ】従来から使用されているベビーキャリーの前面図及び背面図である。
【図１ｂ】従来から使用されているベビーキャリーの前面図及び背面図である。
【図２ａ】従来から使用されているベビーキャリーの前面部を示す図である。
【図２ｂ】従来から使用されているベビーキャリーの前面部を示す図である。
【図３】本発明に係るベビーキャリーの第一の例を示す図である。
【図４ａ】本発明に即して製造された留め具の１つのタイプを示す図である。
【図４ｂ】本発明に即して製造された留め具の１つのタイプを示す図である。
【図５ａ】本発明に即して製造された第１のタイプの留め具コネクタの詳細な仕様を示す図である。
【図５ｂ】本発明に即して製造された第１のタイプの留め具コネクタの詳細な仕様を示す図である。
【図６】留め具要素がどのように連携するかを示す図である。
【図７】留め具要素がどのように連携するかを示す図である。
【図８】本発明の他の実施形態を示す図である。
【符号の説明】
【００３６】
１０  ベビーキャリー構成
１１  ハーネス構成
１２  コネクタ要素、留め具要素
１３  コネクタ
１４  n.n.
１５  n.n.
１６  ベビーサポート
１７  コネクタ要素、留め具要素
１８  可撓性ストラップ
１９  後側部分
２０  前側部分
２１  座席部
２２  バックル及びストラップ構成
２３  延長溝
２４  平面状表面部分、合わせ面
２５  さねはぎ溝
２５’   直線部
２５’’   フック状部分
２５’’’   係合部
２６  開口部
２７  合わせ面
２８  フック状当接部
２８’   角度を持ったフランク
２８’’   フランク
２９  延在部
２９’   先端部
３０  軸
３１  内側面
３２  表面
４０  固定具
４１  ストラップ
【図１ａ】
2008149126.tif 000003
【図１ｂ】
2008149126.tif 000004
【図２ａ】
2008149126.tif 000005
【図２ｂ】
2008149126.tif 000006
【図３】
2008149126.tif 000007
【図４ａ】
2008149126.tif 000008
【図４ｂ】
2008149126.tif 000009
【図５ａ】
2008149126.tif 000010
【図５ｂ】
2008149126.tif 000011
【図６】
2008149126.tif 000012
【図７】
2008149126.tif 000013
【図８】
2008149126.tif 000014
【外国語明細書】
2008149126000001.pdf
2008149126000002.pdf
2008149126000003.pdf
2008149126000004.pdf